(57)【要約】【課題】紙片と一体なうえに複数のページにしおりを容易に付けることが可能なしおり付き冊子を提供する。【解決手段】複数の紙片２，・・・が綴じられたしおり付きの本１である。  そして、各紙片の縁部２１において、隣接する上辺２ａと略平行となる折曲げ線３１を残して引き起こし可能となる切込み部３２を折曲げ線より本文領域２２側に入れることによって形成されるしおり部３Ａ−３Ｅが設けられる。  これらのしおり部は、各紙片の縁部において上辺に沿って整列されており、隣接するしおり部の形状は互いに異なっている。【選択図】図１
2016112684.tif 000002
【特許請求の範囲】
【請求項１】
複数の紙片が綴じられたしおり付き冊子であって、
各紙片の縁部において、隣接する端辺と略平行となる折曲げ線を残して引き起こし可能となる切り込みを前記折曲げ線より内部側に入れることによって形成されるしおり部が、少なくとも１箇所に設けられることを特徴とするしおり付き冊子。
【請求項２】
前記しおり部は、各紙片の第１の縁部において複数が前記端辺に沿って整列されており、隣接するしおり部の形状は互いに異なっていることを特徴とする請求項１に記載のしおり付き冊子。
【請求項３】
前記しおり部は、各紙片の第１の縁部において１箇所ずつ設けられるものであって、連続する紙片間では、前記しおり部の位置がずれていることを特徴とする請求項１に記載のしおり付き冊子。
【請求項４】
前記しおり部には、図及び文字の少なくとも一方の印刷が施されていることを特徴とする請求項１乃至３のいずれか一項に記載のしおり付き冊子。
【請求項５】
前記冊子は書物であって、前記しおり部が設けられる前記縁部以外の領域に本文の印刷が施されていることを特徴とする請求項１乃至４のいずれか一項に記載のしおり付き冊子。
【発明の詳細な説明】
【技術分野】
【０００１】
本発明は、複数の紙片が綴じられた冊子であって、しおり部を備えたしおり付き冊子に関するものである。
【背景技術】
【０００２】
本やスケジュール帳やノートなどの冊子を利用する際に、しおりを挟んで目印にすることがある。このしおりは、通常、本などとは別に用意されたものが使用される。
【０００３】
一方、特許文献１，２に開示されているように、本と一体となったしおりがある。特許文献１では、本の任意のページをしおり用のページとし、そのページに紙片全体に亘るような長いしおり部が形成される。
【０００４】
この長いしおりは、短冊状の上部がページと繋がった状態で下部を捲り上げることができるように、紙片との間に部分的に切り込みが入れられており、複数のページを跨いだ状態で下部をページに挟んでしおりにする構成となっている。
【０００５】
一方、特許文献２には、切り離しできるしおりが、本の表紙の一部に設けられたり、ページの間に綴じ込まれたりする構成が開示されている。要するに、特許文献２のしおりは、本と一体になって提供されるが、使用する際には切り離されて本とは別体となる。
【先行技術文献】
【特許文献】
【０００６】
【特許文献１】特開平８−９０９５３号公報
【特許文献２】特開平９−２０２０６９号公報
【発明の概要】
【発明が解決しようとする課題】
【０００７】
しかしながら特許文献１に開示されたようにページを跨いでしおりにする場合は、現実的にはせいぜい２つが限界で、それ以上多くなると、跨いだしおりが邪魔になって本を開けなくなる。このため、読み進んだページの位置を記録するためのしおりとしては使えるが、着目したページのすべてに印を付けるという使い方には向いていない。
【０００８】
一方、特許文献２に開示されているような本から切り離して使用するしおりでは、通常のしおりと同様に、本を開いたときに落下したり、紛失したりするおそれがある。
【０００９】
そこで、本発明は、紙片と一体なうえに複数のページにしおりを容易に付けることが可能なしおり付き冊子を提供することを目的としている。
【課題を解決するための手段】
【００１０】
前記目的を達成するために、本発明のしおり付き冊子は、複数の紙片が綴じられたしおり付き冊子であって、各紙片の縁部において、隣接する端辺と略平行となる折曲げ線を残して引き起こし可能となる切り込みを前記折曲げ線より内部側に入れることによって形成されるしおり部が、少なくとも１箇所に設けられることを特徴とする。
【００１１】
ここで、前記しおり部は、各紙片の第１の縁部において複数が前記端辺に沿って整列されており、隣接するしおり部の形状は互いに異なっている構成とすることができる。
【００１２】
一方、前記しおり部は、各紙片の第１の縁部において１箇所ずつ設けられるものであって、連続する紙片間では、前記しおり部の位置がずれている構成とすることもできる。
【００１３】
また、前記しおり部には、図及び文字の少なくとも一方の印刷が施されていてもよい。さらに、前記冊子は書物であって、前記しおり部が設けられる前記縁部以外の領域に本文の印刷が施されているのが好ましい。
【発明の効果】
【００１４】
このように構成された本発明のしおり付き冊子には、複数の紙片の縁部のそれぞれに、引き起こし可能なしおり部が切り込みを入れることによって形成される。このしおり部は、引き起こし後も折曲げ線によって冊子本体と繋がっている。
【００１５】
このため、しおり部は紙片と一体であるうえに、紙片の各面に形成される複数のページに、しおりを容易に付けることができる。
【００１６】
また、各紙片の縁部に複数のしおり部が設けられている場合に、隣接する形状が異なっていれば、複数の紙片でしおり部を引き起こす際に、容易に位置をずらしていくことができる。
【００１７】
さらに、各紙片の縁部にしおり部を１箇所ずつ設ける場合に、連続する紙片間でしおり部の位置がずれていれば、連続してしおりを引き起こしても、重ならないようにすることができる。
【００１８】
また、しおり部に図及び文字の少なくとも一方の印刷が施されていれば、しおりとして目立たせることができるうえに、冊子の端辺周辺を華やかに装飾することも可能になる。
【００１９】
さらに、冊子が書物である場合には、本文以外の領域にしおり部を設けることで、書物が読みにくくなるのを防ぐことができる。また、本文の内容と関係なく、しおり部を引き起こすことができる。
【図面の簡単な説明】
【００２０】
【図１】本実施の形態のしおり部が設けられた本の構成を説明する斜視図である。
【図２】紙片の縁部に整列して設けられるしおり部の構成を説明する図であって、（ａ）はしおり部を引き起こす前の状態を示した図、（ｂ）はしおり部を引き起こした後の状態を示した図である。
【図３】しおり部が設けられる本を製作する工程を模式的に示した説明図である。
【図４】実施例１のしおり部が設けられた本の構成を説明する斜視図である。
【図５】実施例２のしおり部が設けられた本の構成を説明する図であって、（ａ）は斜視図、（ｂ）は各紙片でしおり部の位置がずれていることを説明するための説明図である。
【発明を実施するための形態】
【００２１】
以下、本発明の実施の形態について図面を参照して説明する。図１は、本実施の形態のしおり付き冊子としての本１の構成を説明する説明図である。また、図２は、その本１に設けられるしおり部３Ａ−３Ｅの構成を説明する拡大図である。
【００２２】
本１は、複数の紙片２，・・・が綴じられた冊子である。本実施の形態で説明する本１には、文字情報や図等が印刷された書籍や絵本や雑誌やカタログなどの書物が該当する。
【００２３】
本１は、図１に示すように、複数の紙片２，・・・が綴じられ、外周が表紙１１によって覆われている。各紙片２には、それぞれ表面と裏面にページが形成される。
【００２４】
各紙片２のページは、本文領域２２とその周囲の縁部とによって構成される。ここでは、上方の縁部２１を第１の縁部として説明を続ける。この第１の縁部２１には、複数のしおり部３Ａ−３Ｅが設けられる。
【００２５】
複数のしおり部３Ａ−３Ｅは、隣接する端辺である上辺２ａに沿って整列するように設けられる。なお、端辺である側辺２ｂ側の縁部や下辺側の縁部を、しおり部を設ける第１の縁部とすることもできる。
【００２６】
隣接するしおり部３Ａ−３Ｅの形状は、互いに異なるように設けられる。例えば、綴じ代側のしおり部３Ａは花形、その隣のしおり部３Ｂは家形、さらにその隣のしおり部３Ｃは樹木形、その隣のしおり部３Ｄは星形、側辺２ｂに隣接するしおり部３Ｅはビル形というように形成される。
【００２７】
また、しおり部３Ａ−３Ｅの内側の紙面には、形状に合わせた絵図や図柄などの図及び文字の少なくとも一方を印刷することができる。さらに、各紙片２のしおり部３Ａ−３Ｅは、本１を閉じて複数の紙片２，・・・を重ねた際に、投影すれば重なる同じ位置にそれぞれ設けられる。
【００２８】
一方、これらのしおり部３Ａ−３Ｅは、形状は異なっているが、ほぼ同じ構成となっている。そこで、図２(ａ)の左端又は中央に示されたしおり部３Ｂ，３Ｃなどを例に詳細を説明する。
【００２９】
このしおり部３Ｂは、隣接する上辺２ａと略平行となる折曲げ線３１と、折曲げ線３１より内部側（本文領域２２側）に設けられる切込み部３２とによって主に構成される。
【００３０】
折曲げ線３１は、しおり部３Ｂを引き起こす際の起点となる線で、予め明示されていなくても結果的に折曲げ線となればよい。また、マイクロミシン目を入れるなどして、折り曲げ易くすることもできる。
【００３１】
切込み部３２は、図２(ｂ)の中央に示すように、しおり部３Ｃを引き起こした際に、折曲げ線３１の一方の端部から他方の端部にかけての領域が容易に切り抜かれるように設けられる。要するに、折曲げ線３１を残して引き起こし可能とするために設けられる切り込みが、切込み部３２となる。
【００３２】
例えば図２(ａ)の左端に示すように、切込み部３２は、折曲げ線３１付近のミシン目３２１と、カット部３２２と、カット部３２２，３２２間のアンカット部３２３とによって構成することができる。
【００３３】
ここで、カット部３２２は、紙片２を貫通する切り込みを指し、アンカット部３２３は、カット部３２２，３２２間の切り込みを入れずに僅かに接続を残した箇所を指す。
【００３４】
このようにカット部３２２の途中にアンカット部３２３を点在させておくことで、ページを捲ったりしただけでしおり部３Ｂが自然に浮き上がってしまうことを防ぐことができる。
【００３５】
次に、図３を参照しながら本実施の形態の本１の製作方法について説明する。
【００３６】
まず、ロール紙４から紙本体４１を引き出し、ダイカッタ４２で切り込みやミシン目を入れる工程に移行する。この工程では、折曲げ線３１となるマイクロミシン目、並びに切取用のミシン目３２１及びカット部３２２となる切り込みを入れる。
【００３７】
続いて印刷工程に移行する。印刷は、インクジェット印刷機４３によって、紙本体４１の両面に行われる。印刷工程では、本文領域２２の印刷、しおり部３Ａ−３Ｅの印刷など、本１とするのに必要な文字情報や図などのすべての印刷が行われる。
【００３８】
そして、切り込みと印刷が行われた紙本体４１は、製本工程において各紙片２となるように折り畳まれて、本１となるように綴じられる。このように、裁断加工、印刷、製本までを一貫した工程で行うことができる。
【００３９】
次に、図１，２を参照しながら本１のしおり部３Ａ−３Ｅの使用方法について説明する。
【００４０】
購入時又は配布時の本１は、図２(ａ)に示すように、しおり部３Ａ−３Ｅは紙片２と面一となった状態にある。そして、このような本１を手にした読者は、通常の本と同様に、ページを捲りながら本を読み進める。
【００４１】
そして、読んでいて気になったページが現れた際に、図２（ｂ）に示すように、先端のカット部３２２に指を掛けるなどしてしおり部３Ｃを引き起こし、折曲げ線３１で折り曲げる。
【００４２】
折曲げ線３１で折り曲げられたしおり部３Ｃは、上端が上辺２ａよりも上方に突出される。このしおり部３Ｃは、紙片２の表側のページからも裏側のページからも引き起こすことができる。
【００４３】
図１は、複数のページにおいて、しおり部３Ａ−３Ｅが引き起こされた状態を示している。通常は、１ページに付き１箇所のしおり部３Ａ−３Ｅが引き起こされるだけなので、図１は、５ページにしおりを付けた状態を示している。
【００４４】
次に、本実施の形態の本１の作用について説明する。
【００４５】
このように構成された本実施の形態の本１には、複数の紙片２，・・・の縁部２１のそれぞれに、引き起こし可能なしおり部３Ａ−３Ｅが切り込みを入れることによって形成される。このしおり部３Ａ−３Ｅは、引き起こし後も折曲げ線３１によって本１と繋がっている。
【００４６】
このため、しおり部３Ａ−３Ｅは紙片２と一体であるうえに、紙片２の各面に形成される複数のページに、しおりを容易に付けることができる。１枚の紙片２においても、引き起こされた側のページにしおりを付けることができる。
【００４７】
また、各紙片２の縁部２１に複数のしおり部３Ａ−３Ｅが設けられている場合に、隣接する形状が異なっていれば、複数の紙片２，・・・でしおり部３Ａ−３Ｅを引き起こす際に、容易に位置をずらしていくことができる。
【００４８】
要するに、あるページで花形のしおり部３Ａを引き起こしてしおりとした後で、別のページでしおりを付けようとした際に、いちいち先に引き起こしたしおりの位置を確認しなくても、別の形状のしおり部３Ｃを引き起こせば、自然と位置をずらすことができる。
【００４９】
さらに、本１のすべての紙片２，・・・にしおり部３Ａ−３Ｅが設けられていれば、着目したページのすべてに印を付けることができる。また、多くのページでしおり部３Ａ−３Ｅを引き起こしたとしても、折曲げ線３１によって紙片２と繋がっているので、落下したり、紛失したりすることがない。
【００５０】
さらに、複数のしおり部３Ａ−３Ｅが、各紙片２の端辺（例えば上辺２ａ）に沿って整列されている場合に、隣接するしおり部３Ａ−３Ｅの形状が互いに異なっていれば、所望するしおり部（例えば図２(ｂ)のしおり部３Ｃ）だけを容易に引き起こすことができる。
【００５１】
例えば同じ形状のしおり部が隣接して並んでいる場合は、あるしおり部を引き起こそうとしてその周辺の紙片２に力を掛けると、同じようにアンカット部３２３などで紙片２に繋がっている隣のしおり部も、外れてしまうことがある。これに対して、隣接するしおり部３Ａ−３Ｅの形状が互いに異なっていれば、紙片２との繋がり方がそれぞれ変わってくるため、所望するしおり部３Ｃだけを容易に引き起こすことができる。
【００５２】
また、しおり部３Ａ−３Ｅに図及び文字の少なくとも一方の印刷が施されていれば、図１に示すように、しおりとして目立たせることができるうえに、本１の上辺２ａ周辺を華やかに装飾することができる。
【００５３】
さらに、本１が書物である場合には、本文領域２２以外の領域にしおり部３Ａ−３Ｅを設けることで、書物が読みにくくなるのを防ぐことができる。また、本文の内容と関係なく、しおり部３Ａ−３Ｅを引き起こすことができる。
【実施例１】
【００５４】
次に、前記実施の形態で説明した本１とは別の形態のしおり付き冊子としての本１Ａについて、図４を参照しながら説明する。なお、前記実施の形態で説明した内容と同一乃至均等な部分の説明については、同一用語や同一符号を付して説明する。
【００５５】
前記実施の形態では、紙片２の上辺２ａ側の縁部２１に形状の異なる複数のしおり部３Ａ−３Ｅを設ける場合について説明したが、本実施例１では、側辺２ｂ側に同じ形状の複数のしおり部５，・・・を設ける場合について説明する。
【００５６】
この本１Ａは、複数の紙片が綴じられた冊子である。また、本１Ａには、複数の紙片２，・・・が綴じられ、外周が表紙１１によって覆われている。各紙片２には、それぞれ表面と裏面にページが形成される。
【００５７】
そしてこの本１Ａでは、紙片２の端辺である側辺２ｂ側の縁部が第１の縁部となる。この側辺２ｂ側の縁部には、複数のしおり部５，・・・が側辺２ｂに沿って整列される。また、複数のしおり部５，・・・は、例えばすべて同じ略長方形に形成される（図５（ｂ）のしおり部６Ａ−６Ｅの形状を参照）。
【００５８】
このしおり部５は、前記実施の形態で説明したしおり部３Ｂと同様に、隣接する側辺２ｂと略平行となる折曲げ線と、折曲げ線より内部側（本文領域２２側）に設けられる切込み部とによって主に構成される。
【００５９】
図４は、複数のページにおいて、しおり部５，・・・が引き起こされた状態を示している。縦長の長方形の本１Ａであれば、側辺２ｂは上辺２ａよりも長くなるので、１枚の紙片２に、より多くのしおり部５，・・・を設けることができる。
【００６０】
また、しおり部５，・・・を側辺２ｂ側に突出させる場合は、高さの低い本棚に本１Ａを収容する場合でも、突出したしおり部５が棚板に当たって折れ曲がるのを防ぐことができる。
【００６１】
なお、他の構成及び作用効果については、前記実施の形態又は他の実施例と略同様であるので説明を省略する。
【実施例２】
【００６２】
次に、前記実施の形態及び実施例１で説明した本１，１Ａとは別の形態のしおり付き冊子としての本１Ｂについて、図５を参照しながら説明する。なお、前記実施の形態又は実施例１で説明した内容と同一乃至均等な部分の説明については、同一用語や同一符号を付して説明する。
【００６３】
前記実施の形態及び実施例１で説明した本１，１Ａは、１枚の紙片２に複数のしおり部３Ａ−３Ｅ（５，・・・）が設けられていたが、実施例２のしおり付き冊子としての本１Ｂでは、各紙片２に１箇所ずつしおり部を設ける。
【００６４】
例えば図５(ａ)の左側の紙片２には、上辺２ａ側の縁部２１の綴じ代側にのみしおり部６Ａが設けられている。また、それに続く右側の紙片２には、綴じ代側から少し離れた位置にしおり部６Ｂが設けられる。
【００６５】
図５(ｂ)は、本１Ｂを閉じた状態で、上辺２ａ側の縁部２１の綴じ代側にのみしおり部６Ａ（実線）が設けられた紙片２を一番上にした平面図を示している。
【００６６】
このしおり部６Ａの右隣のしおり部６Ｂ（破線）は、一枚下層の紙片２に設けられている。また、しおり部６Ｂのさらに右隣のしおり部６Ｃ（一点鎖線）は、もう一枚下層の紙片２に設けられている。
【００６７】
このように、連続する紙片２，・・・間に設けられるしおり部６Ａ（６Ｂ，６Ｃ，６Ｄ，６Ｅ）の位置は、投影すれば少しずつずれた位置に１箇所ずつ設けられる。
【００６８】
これらのしおり部６Ａ−６Ｅも、前記実施例１で説明したしおり部５と同様に、隣接する上辺２ａと略平行となる折曲げ線６１と、折曲げ線６１より内部側に設けられる切込み部とによって主に構成される。
【００６９】
このように各紙片２の縁部２１にしおり部６Ａ（６Ｂ，６Ｃ，６Ｄ，６Ｅ）を１箇所ずつ設ける場合に、連続する紙片２，・・・間でしおり部の位置がずれていれば、図５(ａ)に示すように、連続してしおり部６Ｄ，６Ｅを引き起こしても、重ならないようにすることができる。
【００７０】
また、各紙片２に１箇所ずつしおり部６Ａ（６Ｂ，６Ｃ，６Ｄ，６Ｅ）を設けるのであれば、切り込みを少なくできるので、紙片２が薄い場合でも紙面の弱体化を防ぐことができる。
【００７１】
なお、他の構成及び作用効果については、前記実施の形態又は他の実施例と略同様であるので説明を省略する。
【００７２】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００７３】
例えば、前記実施の形態及び実施例では、しおり付き冊子として本１，１Ａ，１Ｂを例に説明したが、これに限定されるものではなく、パンフレット、スケジュール帳、ノートなど複数の紙片が綴じられた冊子であれば、本発明を適用することができる。
【００７４】
また、前記実施の形態では、ミシン目３２１とカット部３２２とアンカット部３２３とによって構成される切込み部３２について説明したが、これに限定されるものではなく、例えばミシン目の領域を増やしてカット部を少なくした切込み部にしても、自然に浮き上がってしまうことを防ぐことができる。
【００７５】
さらに、前記実施の形態及び実施例では、第１の縁部にのみしおり部を設ける場合について説明したが、これに限定されるものではなく、第２、第３の縁部にも併せてしおり部を設け、紙片２の複数の端辺からしおり部を突出させることができる。
【符号の説明】
【００７６】
１              本（しおり付き冊子）
２              紙片
２ａ            上辺（端辺）
２１            縁部（第１の縁部）
２２            本文領域
３Ａ−３Ｅ      しおり部
３１            折曲げ線
３２            切込み部
１Ａ            本（しおり付き冊子）
２ｂ            側辺（端辺）
５              しおり部
１Ｂ            本（しおり付き冊子）
６Ａ−６Ｅ      しおり部
６１            折曲げ線
【図１】
2016112684.tif 000003
【図２】
2016112684.tif 000004
【図３】
2016112684.tif 000005
【図４】
2016112684.tif 000006
【図５】
2016112684.tif 000007